(57)【要約】【課題】風力の利用効率を改善するために、風の誘導を強化する装置を提供する。【解決手段】風力発電機のための誘導を強化する装置は、支持ステージと、少なくとも１枚の刃を包含している羽根車ステージと、風を羽根車ステージへ誘導する風誘導ユニットとを有する。風誘導ユニットは、風誘導面を有する風誘導プレートと、風誘導ゲートと、隣接する風誘導面の間に定められ、羽根車ステージに向かって収縮する風誘導通路を有する。風誘導ゲートは、風誘導通路の出口の幅および流れの方向を調節するため、可動式に設計されている。さらに、風の誘導を強化する装置は、少なくとも１枚の溝つきプレートを備えており、風誘導プレートは風を捉える角度を改善するために基準プレートに対応して配列されている。【選択図】図２
0003124517.tif 000002
【実用新案登録請求の範囲】
【請求項１】
支持ステージ（２）と、
前記支持ステージ（２）上に回転自在に配置され、少なくとも１枚のブレードを有する羽根車ステージ（３）と、
前記羽根車ステージ（３）の外円の周りに配置され２つの風誘導面（４１０，４１１）を有する複数の風誘導プレート（４１）、および隣接する前記風誘導面（４１０，４１１）の間に定められる風誘導通路（４４）を備えた風誘導ユニット（４）と、
を有することを特徴とする風力発電機のための風の誘導を強化する装置。
【請求項２】
前記風誘導通路（４４）は、前記羽根車ステージ（３）に向かって収縮され、前記風誘導通路（４４）の出口は、前記羽根車ステージ（３）の回転運動の接線に近いことを特徴とする請求項１に記載の風の誘導を強化する装置。
【請求項３】
前記風誘導プレート（４１）の取付角度を調節するための調節機構（５）をさらに有することを特徴とする請求項１に記載の風の誘導を強化する装置。
【請求項４】
前記風誘導プレート（４１）の半径方向内側の端部の断面は、前記風誘導プレート（４１）の半径方向外側の端部の断面よりも小さいことを特徴とする請求項１に記載の風の誘導を強化する装置。
【請求項５】
支持ステージ（２）と、
前記支持ステージ（２）上に回転自在に配置され、少なくとも１枚のブレードを有する羽根車ステージ（３）と、
前記羽根車ステージ（３）の外円の周りに配置され、風誘導面を有する複数の風誘導プレート（４１）、前記風誘導プレート（４１）と別に設けられ風誘導面を有する風誘導ゲート（４２）、および隣接する風誘導面（４１０，４１１）の間に定められ前記羽根車ステージ（３）に向かって収縮する風誘導通路（４４）を有する第１の風誘導ユニット（４）と、を有し、
前記風誘導通路（４４）の出口における風の方向は、ブレードの接線に近く、風圧を増大させ、
前記風誘導ゲート（４２）の軸外端は、隣接する前記風誘導プレート（４１）の内端と外端の間の一点に配置されることを特徴とする風の誘導を強化する装置。
【請求項６】
前記風誘導ゲート（４２）は、風誘導通路（４４）の出口の広さと風誘導通路（４４）の出口における流れ方向を調節するために、前記風誘導プレート（４１）に対して可動となっていることを特徴とする請求項５に記載の風の誘導を強化する装置。
【請求項７】
前記支持ステージ（２）は、ガイドホール（２１５，２１７）をそれぞれ備え互いに隔てられた２枚の支持板（２１，２１’）を有し、
前記風誘導プレート（４１）は、支持板（２１，２１’）の間に固定され、
前記風誘導ゲート（４２）は、支持板（２１，２１’）の間にスライド自在に配置され、
前記風誘導ゲート（４２）は、前記風誘導プレート（４１）に可動式に配置された軸外端を有し、
前記風誘導ゲート（４２）の軸内端および軸外端に設けられ、ガイドホール（２１５，２１７）の範囲内に収められてスライドされるスライドボルト（４２５，４２６）と、
前記スライドボルト（４２５，４２６）を前記風誘導プレート（４１）の軸内端から遠くまたは近くに動かすための調節機構（５）と、
を有することを特徴とする請求項５に記載の風の誘導を強化する装置。
【請求項８】
前記風誘導ゲート（４２）の軸外端は、回転の軸となるように配置され、
前記風誘導ゲート（４２）の軸内端は、対応する前記風誘導プレート（４１）から離れるかまたはそれに近づくことを特徴とする請求項５に記載の風の誘導を強化する装置。
【請求項９】
第２の風誘導ユニット（４’）を有し、
前記第１の風誘導ユニット（４）および前記第２の風誘導ユニット（４’）は、同一の軸の円周上に位置することを特徴とする請求項５に記載の風の誘導を強化する装置。
【請求項１０】
支持ステージ（２）と、
前記支持ステージ（２）上に回転自在に配置され、少なくとも１枚のブレードを有する羽根車ステージ（３）と、
第１の風誘導セット（４Ａ）と、を有し、
前記第１の風誘導セット（４Ａ）は、
基準プレート（４０）と、
前記基準プレート（４０）の両側に配置され、かつ前記第１の風誘導セット（４Ａ）の方に配置される複数の風誘導プレート（４１）と、
前記風誘導プレート（４１）とともに配置され、かつ隣接する前記風誘導プレート（４１）に外端で結合され、かつ風誘導面（４２４）を有する風誘導ゲート（４２）と、
前記風誘導面、前記基準プレート（４０）、および隣接する前記風誘導プレート（４１）により定められ、かつ前記羽根車ステージ（３）に向かって収縮される複数の風誘導通路（４４）と、を有し、
前記風誘導通路（４４）は、前記基準プレート（４０）、前記風誘導プレート（４１）、および前記風誘導ゲート（４２）が前記羽根車ステージ（３）の周りに円形に位置するように配置され、
前記風誘導通路（４４）の出口は、前記ブレードの回転運動の接線に近いことを特徴とする風力発電機のための風の誘導を強化する装置。
【請求項１１】
前記支持ステージ（２）は、
２枚の支持板（２１，２１’）と、
回転軸を中心として時計回りまたは反時計回りに支持板（２１，２１’）の間で回転する回転ステージ（２２）と、を有し、
前記第１の風誘導セット（４Ａ）は前記回転ステージ（２２）上に配置されることを特徴とする請求項１０に記載の風の誘導を強化する装置。
【請求項１２】
前記支持ステージ（２）は、
２枚の隔てられた支持板（２１，２１’）と、
回転軸を中心として前記支持板（２１，２１’）の間で回転する回転ステージ（２２）と、を有し、
前記風の誘導を強化する装置は、
第２の風誘導セット（４Ａ’）をさらに有し、
前記第２の風誘導セット（４Ａ’）は、
前記羽根車ステージ（３）の外円の周りに配置され、風誘導面（４２４）を有する複数の風誘導プレート（４１）と、
前記風誘導プレート（４１）と別に設けられ、風誘導面（４２４）を有する複数の風誘導ゲート（４２）と、
隣接する風誘導面（４２４）の間に定められ、前記羽根車ステージ（３）に向かって収縮する風誘導通路（４４）と、を有し、
前記風誘導通路（４４）の風の出口方向は、前記ブレードの接線に近いことを特徴とする請求項１０に記載の風の誘導を強化する装置。
【考案の詳細な説明】
【技術分野】
【０００１】
本考案は、風の誘導を強化する装置に関し、特に風の動的出力の電気出力への変換を促進するための風の誘導強化装置に関する。
【背景技術】
【０００２】
風力発電は、環境への配慮を伴い、汚染物質を出さない、地球に優しい電源である。
【０００３】
図１は、従来の風力発電装置１の概略図を示す。風力発電装置１は、支持ステージ１２と、支持ステージ１２に回転自在に配置された羽根車１１を有している。羽根車１１は、羽根車１１内部の軸方向に回転自在な軸シャフト１１２と、軸シャフトから外側に広がる多数のブレード１１１とを有している。
【０００４】
軸シャフト１１２は、羽根車ステージ３の発電機（図示せず）の回転シャフト（図示せず）と接続されており、それにより風を用いて発電機を駆動させる。
【０００５】
上述の従来技術による風力発電機１において、発電機（図示せず）は風力によって駆動されることができる。
【０００６】
しかし、従来技術による風力発電機の性能は、風の方角および強度の不確定さにより低下する場合がある。
【０００７】
さらに、羽根車１１は一般的に丸みを帯びた形状を呈しており、合成される力は非常に小さい場合がある。
【０００８】
流体を利用したもう一つの発電機は水力発電機であるが、これは風力発電と同様の問題点を有する。
【考案の開示】
【考案が解決しようとする課題】
【０００９】
本考案は上述した課題に鑑みてなされたものであり、本考案は、風力の利用効率を改善することができる、風の誘導を強化する装置を提供することを目的としている。
【課題を解決するための手段】
【００１０】
本考案は、支持ステージと、回転シャフト上に回転自在に配置され、支持ステージ上に据え付けられた羽根車ステージとを有する、風の誘導を強化する装置を提供する。
【００１１】
本考案の一態様にかかる風の誘導を強化する装置は、支持ステージに配置される第１の風誘導ユニットをさらに有する。第１の風誘導ユニットは、羽根車ステージの外円の周りに配置され、風誘導面を２つ有する、複数の風誘導プレートと、隣接する風の誘導面の間に定められる風誘導通路とを有している。風誘導通路の風の出口方向は、羽根車ステージに面する。風誘導通路は、風の誘導を促進するため、羽根車ステージの外周に沿って時計回りまたは反時計回りの方向に配置される。
【００１２】
本考案の別の態様では、第１の風誘導ユニットは、羽根車ステージの外円の周りに配置され、風誘導面を１つ有する、複数の風誘導プレートと、風誘導プレートと別に設けられ、風誘導面を有する複数の風誘導ゲートと、隣接する風の誘導面の間に定められ、羽根車ステージの方向に収縮する風誘導通路とを有している。風誘導通路の風の出口の方向は、特にブレードへの風圧を増進するため、ブレードの接線に近くなっている。なお、本考案において、「接線に近い」とは、接線と同一直線上にある場合のほか、ブレードの表面に概ね沿って流れる風を誘導し得る場合を含む概念である。
【００１３】
本考案の更に別の態様では、風の誘導を強化する装置は、支持ステージと、羽根車ステージと、第１の風誘導セットとを有する。第１の風誘導セットは、基準プレートと、基準プレートの両側でありかつ若干第１の風誘導セットの方に配置された複数の風誘導プレートと、風誘導プレートにより区切られ、外端で隣接する風誘導プレートに結合し、かつ風の誘導面を有する風誘導ゲートと、風の誘導面、基準プレートおよび隣接する風誘導プレートにより定められ、羽根車ステージに向かって収縮する複数の風誘導通路と、を有している。風誘導通路は、基準プレート、風誘導プレート、および風誘導ゲートが羽根車ステージの回りに円形に位置するように配置される。風誘導通路は支持ステージ上に配置される。風誘導通路の出口は、ブレードの回転の接線の近くになることが望ましい。風誘導プレートは、風を捉える角度を改善するために外側に向かって配置される。
【００１４】
新規であると考えられる本考案の特徴は、実用新案登録請求の範囲にて詳細に説明される。
【００１５】
しかし、本考案それ自体は、添付の図面と関連して採用されるいくつかの典型的な実施形態について記述する、以下の考案の詳細な記載を参照することにより最も良く理解され得る。
【考案の効果】
【００１６】
本考案によれば、風力の利用効率を改善することができる風力発電機のための風の誘導を強化する装置を提供することができる。
【考案を実施するための最良の形態】
【００１７】
図２，３および４を参照して、本考案の第１の好ましい実施形態にかかる、風の誘導を強化する装置を説明する。
【００１８】
風の誘導を強化する装置は、風力発電機の底部に据え付けられ、支持ステージ２と、回転シャフト３０に回転自在に配置され、底部に据え付けられる羽根車ステージ３と、支持ステージ２上かつ回転シャフト３０の周りに配置される第１の風誘導ユニット４とを有する。
【００１９】
支持ステージ２は、上方および下方に配置された２枚の円環２０を有する。
【００２０】
羽根車ステージ３は、羽根車中心軸３１と、羽根車中心軸３１の周りの複数のブレード３２とを有する。
【００２１】
第１の風誘導ユニット４は、羽根車ステージ３の周りの外円３３に沿って配置され、円環２０の間に配置される複数の風誘導プレート４１と、各々が２枚の隣接する風誘導プレート４１の間に定められる多数の風誘導通路４４とを有する。
【００２２】
風誘導プレート４１の各々は、第１の風誘導面４１１と、第１の風誘導面４１１とは反対側の第２の風誘導面４１０とを有する。
【００２３】
風誘導通路４４は、２枚の隣接する風誘導プレート４１上の、第１の風誘導面４１１と、第２の風誘導面４１０との間に定められる。
【００２４】
風誘導通路４４の各々は、羽根車ステージ３の近くにあり、通路の出口を形成する収縮端部４４１と、円環２０の外側の周辺装置の近くにあり、通路の入口を形成する拡張端部４４２とを有する。
【００２５】
風誘導通路４４は、羽根車ステージ３の周りの外円３３に沿って、風誘導プレート４１によって定められ、収縮端部４４１と拡張端部４４２の設計を有する。
【００２６】
したがって、風が効率的に羽根車ステージ３へと誘導され、羽根車ステージ３のブレード３２に圧力の強化が与えられることができる。
【００２７】
図５、６、７に関して、本考案を実施するための一つ目の最良の形態において、風の誘導を強化する装置は、様々な方向に沿って液体を排出することができる。
【００２８】
さらに、本考案を実施するための一つ目の最良の形態において、第１の風誘導面４１１と第２の風誘導面４１０は、曲面形状に設計されることもできる。
【００２９】
図８は、本考案の第２の実施形態にかかる、風の誘導を強化する装置を示す。
【００３０】
本考案の第２の実施形態にかかる風の誘導を強化する装置は、第１の実施形態にかかる装置と類似している。
【００３１】
風誘導経路４４の収縮端部４４１は、拡張端部４４２よりも小さい。
【００３２】
その差異は、入口が広く、出口が小さいという方式を採るために、風誘導プレート４１の半径方向内端の断面が半径方向外端よりも小さいことである。
【００３３】
また、風誘導プレート４１は、第１の風誘導面４１１と、第２の風誘導面４１０とを有する。
【００３４】
さらに、風誘導通路４４が、２枚の隣接する風誘導プレート４１上の第１の風誘導面４１１と、第２の風誘導面４１０との間に定められる。
【００３５】
同一の風誘導プレート４１が有する第１の風誘導面４１１と第２の風誘導面４１０は、羽根車ステージ３の近くで別々に設けられ、外側に広がるにつれて接近する。
【００３６】
図９〜１２は、本考案の第３の実施形態にかかる、風の誘導を強化する装置を示す。
【００３７】
本考案の第３の実施形態において、風の誘導を強化する装置は、支持ステージ２と、羽根車ステージ３と、第１の風誘導ユニット４と、第１の風誘導ユニット４の角度を調節するための調節機構５とを有する。
【００３８】
支持ステージ２は、円盤状の下部支持板２１と、下部支持板２１と水平の上部支持板２１’とを有する。
【００３９】
下部支持板２１は、上部支持板２１’に面した取付面２１１と、取付面２１１と水平の背面２１２と、取付面２１１と背面２１２を貫通し、下部支持板の中心に位置する中心ホール２１３と、中心ホール２１３の周囲の複数の貫通ホール２１４と、貫通ホール２１４の回りにあり、下部支持板２１と上部支持板２１’を貫通する複数の円形ガイドホール２１５と、ガイドホール２１５を斜め向きに取り囲み、下部支持板２１と上部支持板２１’を貫通するスライド式ガイドホール２１７と、斜め方向にスライドするガイドホール２１７の近くにある多数の軸ホール２１６とを有する。
【００４０】
この本考案を実施するための最良の形態において、下部支持板２１と上部支持板２１’は、上部支持板２１’の取付面２１１が下部支持板２１に面していることと、上部支持板２１’の背面２１２が上方を向いていることを除くと、類似した構造を有する。
【００４１】
さらに、取付面２１１上にあるガイドホール２１５および斜め方向のガイドホール２１７は、図１１および１２に示される通り、背面２１２のそれよりも小さい半径を有する。
【００４２】
この本考案を実施するための最良の形態において、羽根車ステージは、下部支持板２１と上部支持板２１’の中心ホール２１３の間に回転自在に配置された羽根車シャフト３１と、羽根車シャフト３１から軸方向に広がるブレード３２とを有する。
【００４３】
ブレード３２の各々は、羽根車シャフト３１の表面３１１に結合されたルート部３２１と、羽根車シャフト３１から離れたガイド部３２２と、風の受止部３２３とを有する。
【００４４】
図９、１３、１４、１５に関しては、第１の風誘導ユニット４は、上部支持板２１’および下部支持板の取付面２１１の間に配置され、取付面２１１の間に配置される複数の風誘導プレート４１と、取付面２１１上で回転の軸となるように配置され、軸ホール２１６に対応する複数の風誘導ゲート４２と、隣接する風誘導プレート４１と、風誘導ゲート４２との間の風誘導通路４４とを有する。
【００４５】
風誘導プレート４１の各々は、風誘導通路４４に面する第１の風誘導面４１１を有する。
【００４６】
ここで、第１の風誘導面４１１が羽根車ステージ３に向かって伸びる方向は、回転シャフト３０と羽根車ステージ３の回転運動の接線との間であり、ブレード３２の回転中の外形の接線に近いことが望ましい。
【００４７】
風誘導ゲート４２は、対応する軸ホール２１６と、ガイドホール２１５と、変更可能な角度にて斜め方向にスライドするガイドホール２１７との間に配置される。
風誘導ゲート４２の各々は、風誘導通路４４に面したゲート部４２１と、風誘導プレート４１に面する境界部分４２２と、ゲート部４２１が移動するのを助けるクランプ部４２３と、風の誘導プレート４１の半径方向外端から内側へ伸びる境界プレート４２０と、境界プレート４２０と風誘導プレート４１との間の伸縮自在な空間４２９とを有する。
【００４８】
ゲート部４２１は、風誘導通路４４に面する第３の風誘導面４２４を有する。
【００４９】
境界プレート４２０は、風誘導通路４４に面する第４の風誘導面４２０１を有する。
【００５０】
第３の風誘導面４２４および第４の風誘導面４２０１は、第１の風誘導面４１１と、９０度より小さい内側の角度を構成する。
【００５１】
第３の風誘導面４２４と第４の風誘導面４２０１の延長線は、回転シャフト３０を通過せず、ブレード３２の接線により近い。
【００５２】
境界部４２２は、羽根車ステージ３に近く、下部支持板２１と上部支持板２１’に向かって突き出た円形スライドボルト４２５と、伸縮自在な空間４２９に近く、下部支持板２１と上部支持板２１’に向かって突き出た二つの斜め方向のスライドボルト４２６とを有する。
【００５３】
図１１に示される通り、円形スライドボルト４２５は、下部支持板２１と上部支持板２１’にある円形スライドホールに挿入される。
【００５４】
図１２に示される通り、２本の斜め方向のスライドボルト４２６は、下部支持板２１と上部支持板２１’にある斜め方向のスライドホール２１７に挿入される。
【００５５】
円形スライドボルト４２５と斜め方向のスライドボルト４２６は、末尾が拡張された、Ｔ型の位置決め用ボルトである。
【００５６】
クランプ部４２３は、ゲート部４２１から伸縮自在な空間４２９に向かって続く柔軟な接触部４２７と、伸縮自在な空間４２９に配置され、柔軟な接触部４２７と噛み合う回転ギヤホイル４２８とを有する。
【００５７】
風の誘導ゲート４２の軸外端は、風誘導プレート４１上に移動可能な状態で配置される。
【００５８】
図９、１０、１６に関して、調節機構５は、上部支持板２１’の背面２１２に取り付けられており、第１の風誘導ユニット４の風誘導ゲート５２を駆動するために使われ、そしてそれは風の誘導ゲート４２の取付角度を変更する。
【００５９】
調節機構５は、風誘導ゲート４２の円形スライドボルト４２５に連結された連結コード５１と、風誘導ゲート４２の斜め方向のスライドボルト４２６に連結された連結コード５１’と、連結コード５１および５１’のコード端部５１１および５１２に連結された２機のモータ５２および５３とを有する。
【００６０】
モータ５２と５３のシャフトが時計回り方向に回転すると、連結ロッド５１が時計回り方向に回転されることができる。
【００６１】
風誘導ゲート４２の円形スライドボルト４２５は、連結ロッド４１により駆動され、風誘導プレート４１に向かって軸上を内側に移動することができる。
【００６２】
これによって、第１の風誘導面４１１と第３の風誘導面４２４との間の内側の角度が回転される。
【００６３】
図１６に示される通り、風誘導ゲート４２の軸内端が、風誘導プレート４１の半径方向内端に近づくと、風の誘導を強化する装置を維持するため、風誘導通路４４の収縮する外端４４（出口部）が閉じられる。
【００６４】
一方、モータ５２と５３のシャフトが反時計周り方向に回転する場合、連結ロッド５１は時計回り方向に回転されることができる。
【００６５】
風誘導ゲート４２の円形スライドボルト４２５は、連結ロッド５１’により回転され、風の誘導プレート４１の内端から離れて移動することができる。
【００６６】
風の誘導ゲート４２は、より小さい内側の角度を持つために回転されることができる。
【００６７】
したがって、風誘導通路４４の出口は、そこの流れの方向、幅、および開／閉状態により支配される。
【００６８】
さらに、調節機構５は、クランプ部分４２３の任意な設計に合うように改造されることができるが、ここではそれは詳細に説明されない。
【００６９】
図１３、１４に関して、本考案を実施するための三つ目の最良な形態における風の誘導を強化する装置の使用の間、風は第１の風誘導面４１１と第３の風誘導面４２４により抑制され、風誘導通路４４の拡張端部４４２に流れ、その後、収縮端部４４１を通って羽根車ステージ３に流れる。
【００７０】
風の誘導通路４４の出口は、ブレード３２の外円の接線方法近くに伸びる。
【００７１】
したがって、風の最良に作用する方向はブレード３２となる。
【００７２】
羽根車ステージ３が回転され、そして羽根車の軸３１に連結された発電機（図示せず）が駆動され、回転する
風が風誘導通路４４を通り抜ける際、風の通路の体積が縮小する。そして風は圧縮され、より大きな圧力で羽根車ステージ３に吹き付け、運動量を増加させる。
【００７３】
さらに、風誘導通路４４から羽根車ステージ３に流れた風は、互いに相殺的な相互作用を受けることはない。
【００７４】
本考案による風の誘導を強化する装置は、積み重ねて運転されることができる。
【００７５】
本考案の第３の実施形態における調節機構５は、風誘導プレート４１の角度を調節するために、本考案の第１および第２の実施形態のために使われることもできる。
【００７６】
図１７、１８に関して、本考案の第４の実施形態にかかる風の誘導強化装置は、支持ステージ２と、羽根車ステージ３と、羽根車ステージ３の周りの第１の風誘導ユニット４とを有する。
【００７７】
支持ステージ２はまた、下部支持板２１と上部支持板（図示せず）とを有する。
【００７８】
複数の弧状のスライドホール２１５が下部支持板２１と上部支持板２１’上に定められる。
【００７９】
第１の風誘導ユニット４は、支持ステージ２に固定される複数の風誘導プレート４１と、支持ステージ２に固定される複数の風誘導ゲート４１と、風誘導プレート４１と風誘導ゲート４２との間の複数の風誘導通路とを有する。
【００８０】
風誘導ゲート４２は、弧状のスライドホール２１５内を移動自在な、斜め方向のスライドボルト４２６を備える。
【００８１】
風誘導ゲート４２の内端は、対応する風誘導プレート４１に向かって、またはそれから離れて移動されることができる。
【００８２】
風誘導ゲート４２の軸外端は、風誘導ゲート４２が風誘導通路の幅と流れ方向を調節することができるように、回転の軸となっている。
【００８３】
本考案の第４の実施形態にかかる風の誘導を強化する装置は、羽根車ステージ３の近くの風誘導ゲート４２’により構成される第２の風誘導ユニット４’を更に有するという点で、第３の実施形態とは異なる。
【００８４】
第１の風誘導ユニット４上の風誘導ゲート４２’と風誘導ゲート４２は、同一の風誘導プレート４１上の、同一の中心を有する同一の円周上に配置される。
【００８５】
風誘導ゲート４２’は、第３の好ましい実施形態におけるのと同様の調節機構により調節されることができる。
【００８６】
風誘導ゲート４２と風誘導ゲート４２’は、スイングおよびスライドされ、風力を増進するために風誘導通路の幅および流れ方向を制御する。
【００８７】
したがって、風が羽根車ステージ３に向かって噴出する圧力が増進されることができる。
【００８８】
図１８に示すように、好ましい実施形態における風の誘導を強化する装置が突風に遭うか、修理中である時は、風誘導通路４４を閉じるため、風誘導ゲート４２の斜め方向のスライドボルト４２６が、風誘導プレート４１の半径方向の外端に向かって移動される。
【００８９】
好ましい実施形態における風の誘導を強化する装置は、拡張端部４４２または収縮端部４４１を閉じることができる。
【００９０】
第３の好ましい実施形態は、直接的な調節を備え、第４の好ましい実施形態は、曲線的な調節を備える。
【００９１】
図１９は、本考案の第５の好ましい実施形態にかかる風の誘導を強化する装置を示すが、それは幅広い領域のために設計される。
【００９２】
本考案の第５の好ましい実施形態にかかる風の誘導を強化する装置は、第１の風誘導セット４Ａと、羽根車ステージ３の周りの第２の風誘導セット４Ａ’とを有する。
【００９３】
第１の風誘導セット４Ａと第２の風誘導セット４Ａ’は、同一の構造を有するため、第１の風誘導セット４Ａのみが説明される。
【００９４】
第１の風誘導セット４Ａは、平坦であるかまたはほとんど平坦である円弧状の基準プレート４０と、複数の風誘導プレート４１と、わずかに曲がっており、移動可能な複数の風誘導ゲート４２と、複数の風誘導通路４４とを有する。
【００９５】
風誘導プレート４１は、基準プレート４０の両側でありかつ僅かに第１の風誘導セット４Ａと第２の風誘導セット４Ａ’に向かって配置される。
【００９６】
風の誘導プレート４１は、基準プレート４０に面しており、僅かに外側を向いた凹面４１５を有する。
【００９７】
凹面４１５の設計により、風の誘導を強化する装置が風を捉える程度が増進されることができる。
【００９８】
第１の風誘導セット４Ａと第２の風誘導セット４Ａ’は、後に説明される図１９中の広域の設計に含まれる。
【００９９】
風誘導セット４Ａと４Ａ’の各々は、基準プレート４０と、基準プレート４０の両側でありかつ僅かに第１の風誘導セット４Ａ寄りに配置され、基準プレート４０に面し、僅かに外側に面している凹面４１５を備える風誘導プレート４１と、風誘導プレート４１上に配置され、かつ隣接する風誘導プレートに外端で結合され、そこに風誘導面４２４を備える複数の風誘導ゲート４２と、風誘導面４２４と、基準プレート４０と、隣接する風誘導プレート４１とにより定められ、かつ羽根車ステージ３に向かって収縮された複数の風誘導通路４４とを有する。
【０１００】
風誘導通路４４は、基準プレート４０と、風誘導プレート４１と、風誘導ゲート４２とが羽根車ステージ３を囲む円形に位置するように配置される。
【０１０１】
風誘導通路４４は、支持ステージ（図示せず）の上に配置される。
【０１０２】
風誘導経路４４の出口は、ブレード３２の回転運動の接点に近いことが望ましい。
【０１０３】
風誘導プレート４１は、（凹面４１５のような）斜めの湾曲面または斜めの平坦面を伴って設計されることができる。
【０１０４】
図１９中には、羽根車ステージ３の周りに円形に配置される２つの同一な風誘導セット４Ａと４Ａ’があるが、その羽根車ステージは、第１〜第５の実施形態において相違しない。
【０１０５】
異なる流れ方向の風が、風の誘導を強化する装置の内部に捉えられる。
【０１０６】
羽根車ステージ３の風を捉える面が特定の方向の風を捉えるとき、基準プレート４０の伸張する方向は風と一緒になる。
【０１０７】
対応する風誘導プレート４１の軸外端は、風の流れの抵抗を低減する風のみとなる。
【０１０８】
風誘導プレート４１の間の軸外端は、風を捉えるための最適な領域を達成するために最大化される。
【０１０９】
風誘導通路４４の収縮端部４４１は、風をブレードに最適に誘導する基本的なタイプのそれと類似している。
【０１１０】
図２０は、本考案の第６の好ましい実施形態における風の誘導を強化する装置を示すが、それは広域タイプと基本的タイプの混合である。
【０１１１】
この好ましい実施形態における風の誘導を強化する装置もまた、支持ステージ２と、
羽根車ステージ３と、第１の風誘導セット４Ａと第２の風誘導セット４Ａ’  とを有する。
【０１１２】
支持ステージ２は、旋回軸として回転シャフト３０を備える回転ステージ２２と、上部と下部の支持板２１とを有する。
【０１１３】
第１の風誘導セット４Ａと第２の風誘導セット４Ａ’は、回転ステージ２２に取り付けられる。
【０１１４】
第１の風誘導ステージ４Ａは広域の設計であり、平坦な形状またはほとんど平坦な湾曲形状を有する基準プレート４０と、基準プレート４０の両側に配置されかつ各々が基準プレート４０に面する凹面４１５により構成される複数の風誘導プレート４０とを有する。
【０１１５】
第１の風誘導セット４Ａは、羽根車ステージ３に向かって斜めに伸びた風誘導ゲート４２と複数の風誘導通路４４とを有する。
【０１１６】
ここで、風誘導ゲート４２は風誘導プレート４１と一体となっている。
【０１１７】
第２の風誘導セット４Ａ’は簡単な設計である。
【０１１８】
換言すると、第２の風誘導セット４Ａ’は、同一の方向に曲げられた複数の風誘導プレート４１と、複数の風誘導ゲート４２と、風誘導プレート４１と風誘導ゲート４２により定められる風誘導通路４４とを有する。
【０１１９】
回転ステージ２２は、風の流れ方向に合わせて風を捉える角度を変更するため、第１の風誘導セット４Ａと第２の風誘導セット４Ａ’を駆動する。
【０１２０】
第１の風誘導セット４Ａの基準プレート４０は、ブレード３２が風を捉える程度を増進するための最適の方向にある。
【０１２１】
第２の風誘導セット４Ａ’は、ブレード３２の回転速度を加速するため、風誘導通路４４への同一の流れの風を吸収する。
【０１２２】
上記の説明から理解される通り、風誘導通路４４は、拡張端部４４２から収縮端部４４１へ向かって収縮され、かつ、任意の方向の風を吸収するために、羽根車ステージ３の外周に沿って、時計回りまたは反時計回りに配列される。
【０１２３】
この設計は従来技術にはみられない。
【０１２４】
さらに、風誘導ユニット４と４’および第１の風誘導セット４Ａと第２の風誘導セット４Ａ’の設置は、風の噴出にとって最適な効果を与え、かつ本考案による風の誘導を強化する装置の利用可能性を増進する。
【０１２５】
広域型の第１の風誘導セット４Ａと第２の風誘導セット４Ａ’は、圧力の増進を与えることができる。
【０１２６】
凹面４１５を伴う風誘導プレート４１は、基準プレート２０の外側に向かって広い範囲で湾曲した設計を伴う軸外端を有する。
【０１２７】
風を捉える角度および風を受ける面は増大されることができる。
【０１２８】
凹面４１５を伴う風誘導プレート４１は、抵抗が縮減されたときに、遠心力の効果を与える。
【０１２９】
本考案は好ましい実施形態を参照して説明されたが、それにより本考案がその詳細な説明にのみ限定されることはないと理解される。
【０１３０】
種々の置換および変更が前述の説明中で提案されているほか、当業者であれば他のものも思いつくであろう。
【０１３１】
したがって、これら全ての置換および変更は、添付の実用新案登録請求の範囲中に明示された通り、本考案の技術的範囲内に含まれることを意図している。
【図面の簡単な説明】
【０１３２】
【図１】従来技術による風力発電機の概略図である。
【図２】本考案の第１の好ましい実施形態にかかる風の誘導を強化する装置の分解図である。
【図３】本考案の第１の好ましい実施形態にかかる風の誘導を強化する装置の斜視図である。
【図４】本考案の第１の好ましい実施形態にかかる風の誘導を強化する装置の上面図である。
【図５】図４と同様に、風により駆動される風の誘導を強化する装置の状態を示すための上面図である。
【図６】図５とは異なる風向きを伴う、同様の上面図である。
【図７】図５とは異なる風向きを伴う、同様の上面図である。
【図８】図３と同様に、本考案の第２の好ましい実施形態にかかる風の誘導を強化する装置を示す上面図である。
【図９】本考案の第３の好ましい実施形態にかかる風の誘導を強化する装置の分解図である。
【図１０】本考案の第３の好ましい実施形態にかかる風の誘導を強化する装置の組み立て用の上面図である。
【図１１】本考案の第３の好ましい実施形態にかかる風の誘導を強化する装置の部分断面図である。
【図１２】図１１と同様にスライドボルトと下部支持板を示す部分断面図である。
【図１３】本考案の第３の好ましい実施形態にかかる風の誘導を強化する装置の上面図である。
【図１４】本考案の第３の好ましい実施形態の部分的な拡大図である。
【図１５】本考案の第３の好ましい実施形態の部分的な断面図である。
【図１６】図１４と同様の部分的な拡大図である。
【図１７】本考案の第４の好ましい実施形態にかかる風の誘導を強化する装置の上面図である。
【図１８】図１７と同様の上面図である。
【図１９】本考案の第５の好ましい実施形態にかかる風の誘導を強化する装置の上面図である。
【図２０】図１３と同様に、本考案の第６の好ましい実施形態にかかる風の誘導を強化する装置の上面図である。
【符号の説明】
【０１３３】
２    支持ステージ、
２１，２１    支持板、
２１５，２１７    ガイドホール、
２２    回転ステージ、
３    羽根車ステージ、
４    風誘導ユニット、
４０    基準プレート、
４１    風誘導プレート、
４１０，４１１    風誘導面、
４２    風誘導ゲート、
４２４    風誘導面、
４２５，４２６    スライドボルト、
４４    風誘導通路、
４Ａ    第１の風誘導セット、
４Ａ’    第２の風誘導セット、
５    調節機構。
【図１】
0003124517.tif 000003
【図２】
0003124517.tif 000004
【図３】
0003124517.tif 000005
【図４】
0003124517.tif 000006
【図５】
0003124517.tif 000007
【図６】
0003124517.tif 000008
【図７】
0003124517.tif 000009
【図８】
0003124517.tif 000010
【図９】
0003124517.tif 000011
【図１０】
0003124517.tif 000012
【図１１】
0003124517.tif 000013
【図１２】
0003124517.tif 000014
【図１３】
0003124517.tif 000015
【図１４】
0003124517.tif 000016
【図１５】
0003124517.tif 000017
【図１６】
0003124517.tif 000018
【図１７】
0003124517.tif 000019
【図１８】
0003124517.tif 000020
【図１９】
0003124517.tif 000021
【図２０】
0003124517.tif 000022